(57)【特許請求の範囲】
【請求項１】
框部側の錠機構のタングが突出し、該タングが扉側のストライクに係合することによって扉を框部に対してロック状態とする錠装置において、
前記扉の開閉時の自由端部側に設けられた把手部を備えるとともに、
前記扉の閉状態での前記錠機構のタングの出没に連動して該タングの突出によりオンするスイッチと、電池と、表示器と、前記スイッチのオンにより前記ロック状態の持続時間を判別できる時間情報を前記表示器に表示する制御回路とを有する時間情報表示機構を備え、
前記時間情報表示機構を前記把手部の内部に設けたことを特徴とする錠装置。
【請求項２】
前記タングが突出したことを検知してタイマを起動するとともに、該タイマの計時時間に基づいて前記時間情報を表示することを特徴とする請求項１記載の錠装置。
【請求項３】
前記時間情報表示機構は、前記スイッチのオンにより前記電池に接続されて計時を開始するタイマと、該スイッチのオンにより前記電池に接続されて前記時間情報を表示する表示器を備えたことを特徴とする請求項２記載の錠装置。
【請求項４】
前記ロック状態の持続時間が所定時間を経過したら警告表示を行うことを特徴とする請求項１、２または３記載の錠装置。
【請求項５】
前記時間情報を点滅表示することにより前記警告表示を行うことを特徴とする請求項４記載の錠装置。
【請求項６】
複数のロッカーボックスを備えた非集中駆動型の貸しロッカーの各ロッカーボックスに配設されていることを特徴とする請求項１、２、３、４または５記載の錠装置。
【発明の詳細な説明】
【０００１】
【発明の属する技術分野】
本発明は、貸しロッカーなどに取付られる錠装置に関し、特に、プールや大型浴場などの各種レジャー施設等に設置される機械式の錠機構を具備する小型の貸しロッカーに適した錠装置に関する。
【０００２】
【従来の技術】
従来、レジャー施設等で利用者が使用する貸しロッカーは、施設の営業開始時などの初期状態では錠装置の施解錠操作が不能になっており、利用料金を投入することにより錠装置が施解錠可能になり、その後は、利用者は、任意の施解錠操作によりロッカーを自由に利用することができる。
【０００３】
ところで、駅等に設置されたターミナルロッカーでは、設置場所が不特定多数の人が自由に往来する場所であったり、長時間使用に対する使用日数の管理等を行う必要があり、各ロッカーの錠装置に電源を供給して各錠装置を駆動する集中駆動型の大型のシステムとなっている。
【０００４】
これに対して、レジャー施設等の貸しロッカーは、ロッカーの使用者がその施設の利用者であることや、ロッカー自体がレジャー施設内にあることから、ターミナルロッカーのような大型のシステムは不要であり、錠装置も非電動の機械式であるなど小型で低価格なロッカーが採用されている。
【０００５】
【発明が解決しようとする課題】
しかし、上記レジャー施設等の貸しロッカーでは、せいぜいロッカーの施解錠状態が判るだけで、どのような使われ方がなされているかを判別する手だてがない。このため、例えば長期間使用してロッカーを私物化する等の不正使用がされ易く、運営上不都合を生じることがある。
【０００６】
本発明は、ロッカーがどのくらいの時間使用されているかを判別できるようにして、ロッカーの不正使用を防止することを課題とする。
【０００７】
【課題を解決するための手段】
請求項１の錠装置は、框部側の錠機構のタングが突出し、該タングが扉側のストライクに係合することによって扉を框部に対してロック状態とする錠装置において、前記扉の開閉時の自由端部側に設けられた把手部を備えるとともに、前記扉の閉状態での前記錠機構のタングの出没に連動して該タングの突出によりオンするスイッチと、電池と、表示器と、前記スイッチのオンにより前記ロック状態の持続時間を判別できる時間情報を前記表示器に表示する制御回路とを有する時間情報表示機構を備え、前記時間情報表示機構を前記把手部の内部に設けたことを特徴とする。
【０００８】
上記のように構成された請求項１の錠装置によれば、錠機構のタングが突出したことが把手部側で検知されるとロック状態の持続時間を判別できる時間情報が表示されるので、ロッカーの使用開始からの時間を判別できる。なお、時間情報としては、ロック状態となったときからの経過時間をそのまま表示してもよく、また、ロック状態となったときの日時等を表示するようにしてもよい。
【０００９】
請求項２の錠装置は、請求項１の構成を備え、前記タングが突出したことを検知してタイマを起動するとともに、該タイマの計時時間に基づいて前記時間情報を表示することを特徴とする。
【００１０】
上記のように構成された請求項２の錠装置によれば、請求項１と同様な作用効果が得られるとともに、タイマはタングが突出したときから起動されるので、ロック状態以外のときはタイマが駆動されず、ロック状態のときにタイマが駆動されるのでこのタイマを駆動するための電源の節約になる。
【００１１】
請求項３の錠装置は、請求項２の構成を備え、前記時間情報表示機構は、前記スイッチのオンにより前記電池に接続されて計時を開始するタイマと、該スイッチのオンにより前記電池に接続されて前記時間情報を表示する表示器を備えたことを特徴とする。
【００１２】
上記のように構成された請求項３の錠装置によれば、請求項２と同様な作用効果が得られるとともに、タングの突出によりタイマと表示器が電池に接続されるので、タイマの駆動と表示器の表示を行うための電池の節約になる。また、扉が閉状態でのタングの突出によりタイマが駆動されるので、扉が確実にロック状態となったときから計時が開始される。
【００１３】
請求項４の錠装置は、請求項１、２または３の構成を備え、前記ロック状態の持続時間が所定時間を経過したら警告表示を行うことを特徴とする。
【００１４】
上記のように構成された請求項４の錠装置によれば、請求項１、２または３と同様な作用効果が得られるとともに、持続時間が所定時間を経過したら警告表示が行なわれるので、長時間使用されている（ロック状態である）ロッカー等を容易に判別することができる。
【００１５】
請求項５の錠装置は、請求項４の構成を備え、前記時間情報を点滅表示することにより前記警告表示を行うことを特徴とする。
【００１６】
上記のように構成された請求項５の錠装置によれば、請求項４と同様な作用効果が得られるとともに、時間情報の点滅表示で警告表示を行うので、時間情報の表示と警告の表示とを一つの表示器で行うことができ、構成が簡単になる。
【００１７】
請求項６の錠装置は、請求項１、２、３、４または５の構成を備え、複数のロッカーボックスを備えた非集中駆動型の貸しロッカーの各ロッカーボックスに配設されていることを特徴とする。
【００１８】
上記のように構成された請求項６の錠装置によれば、当該錠装置はタングの突出状態を検知してロック状態の持続時間の情報を表示するという簡単な構成とすることができるので、例えば錠機構が機械式であるような非集中駆動型の貸しロッカー本来のコストを抑えながら、請求項１、２、３、４または５と同様な作用効果が得られる。
【００１９】
【発明の実施の形態】
以下、本発明の一実施形態について図面を参照して説明する。図５は本発明の実施形態の錠装置を用いたロッカー装置の一部正面図である。図において、１は後述の錠機構を内蔵したケーシング、２は後述の時間情報表示機構を備えた把手部、３はロッカーボックスの扉、４はロッカーボックスの框部である。ケーシング１は、扉３の開閉時の自由端部に整合する框部４に埋設されており、把手部２は扉３のケーシング１側端部に取付られている。この実施形態ではケーシング１の錠機構と把手部２の時間情報表示機構により錠装置が構成されている。
【００２０】
図１はケーシング１と把手部２の正面図、図２はケーシング１の解錠状態の背面図、図３はケーシング１の施錠状態の背面図、図４は把手部２の内部を示す背面図である。ケーシング１の表面には硬貨投入口１１、硬貨払い戻し口１２、シリンダ錠１３、扉検出ピン１４、マスターキー用シリンダ錠１５が設けられている。そして、シリンダ錠１３に挿入されたキー５の操作により、タング１ａがケーシング１から出没する。また、把手部２の表面には、時間情報を表示する表示窓２１が設けられ、その上にロッカー番号用の銘板２２が配設されている。また、把手部２のケーシング１側には、扉３とケーシング１との隙間を覆うカバー部２３が形成されており、このカバー部２３によりケーシング１の扉検出ピン１４が押し込まれることにより、扉３が閉じられた状態としてケーシング１が作動する。
【００２１】
図２に示すように、ケーシング１の内部において、支軸１ｂにタングロックレバー１ｃの下端部が枢着され、タングロックレバー１ｃの上端部に設けられた軸１ｄは、シフトプレート１ｅの上端に設けられた縦長孔１ｆに係入すると共に、タング１ａの孔に係合している。そして、シフトプレート１ｅは、キー５の操作によるシリンダ錠１３のロータの回転に連動して回動する。なお、このシフトプレート１ｅとシリンダ錠１３のロータは、硬貨投入口１１から硬貨が投入され、かつ、把手部２のカバー部２３により扉検出ピン１４が押し込まれた状態のときにのみ回動可能となる機構になっている。
【００２２】
以上の構成により、利用者が使用できる初期状態では、シリンダ錠１３にキー５が挿入された状態で図１のような回転位置にあり、キー５はシリンダ錠１３から引き抜くことができないが、タング１ａがケーシング１内に没入して扉３のストライク（図示しない）に係合していないので扉３を開けることができる。利用者が開扉してロッカー内に荷物を格納し、硬貨を硬貨投入口１１に投入し、扉３を閉めると、カバー部２３により扉検出ピン１４が押し込まれ、キー５およびシリンダ錠１３の回動が可能となる。
【００２３】
利用者がキー５を図１において反時方向に回動すると、図２において、シフトプレート１ｅが時計方向に回動し、タングロックレバー１ｃが大きく時計方向に回動すると共に、没入していたタング１ａがケーシング１から突出し（図３参照）、扉３の図示しないストライクに係合するので、扉３は施錠される。この施錠位置では、キー５をシリンダ錠１３から引き抜くことができる。また、解錠するときは、キー５をシリンダ錠１３に挿入して図１において時計方向（図３において反時計方向）に回動すると、シリンダ錠１３のロータに係合するシフトプレート１ｅがロータと一体となって同方向に回動し、突出していたタング１ａがケーシング１内に没入して扉３は解錠され、開扉可能になる。
【００２４】
把手部２の内部において、カバー部２３寄りには、上端に水平ピン２４ｃを備えたタング検出レバー２４が軸２４ａに枢着され、このタング検出レバー２４はバネ２４ｂにより図４の矢印の回動方向に付勢されている。また、タング検出レバー２４の下方にはマイクロスイッチからなるタング検出スイッチ２５が配設されており、この図４の位置ではタング検出レバー２４の下端によりタング検出スイッチ２５の作動片２５ａが押されて、タング検出スイッチ２５はオフの状態とされている。
【００２５】
以上の構成により、キー５の操作により施錠され、ケーシング１内に没入していたタング１ａがケーシング１から突出すると、図１に一点鎖線で示したように、タング１ａがタング検出レバー２４の水平ピン２４ｃを押して、タング検出レバー２４が回動し、このタング検出レバー２４の下端部からタング検出スイッチ２５の作動片２５ａが外れて、タング検出スイッチ２５はオンとなる。また、キー５の操作により解錠され、タング１ａがケーシング１内に没入すると、タング検出レバー２４はバネ２４ｂの付勢力により図１の破線の位置（図４の位置）に復帰し、タング検出スイッチ２５の作動片２５ａが押されて、タング検出スイッチ２５はオフとなる。
【００２６】
また、把手部２の内部には、回路基板２６が配設されており、この回路基板２６には、表示窓２１（図１参照）に表示面を臨まされた液晶表示器１０、表示点滅までの所定時間を設定するディップスイッチ２０、および計時および表示等の制御を行う制御回路３０が配設されている。さらに、回路基板２６の上方には電池ケース２７が収納されており、この電池ケース２７はネジ２７ａを外すことにより把手部２に対して脱着可能となっている。なお、電池ケース２７の内部には乾電池２７ｂが収納され、この乾電池２７ｂの上部の両電極は導通される。また、電池ケース２７の下端部には乾電池２７ｂの下部の両電極が露出されるような開口が形成されており、この下部の両電極は、回路基板２６側に接続された電極４０ａ，４０ｂに接続される。
【００２７】
図６は実施形態のブロック図であり、前記回路基板２６に配設されている制御回路３０は、ＣＰＵ３１、ＲＯＭ３２、タイマ３３、ＬＥＤ駆動回路３４を備えており、この制御回路３０には前記タング検出スイッチ２５を介して乾電池２７ｂが接続され、前述のようにケーシング１側において施錠されるとタング検出スイッチ２５がオンとなって制御回路３０に直流電源が供給される。これにより、ＣＰＵ３１は図７にフローチャートを示す制御プログラムを実行して割込み処理を開始するとともに、ＬＥＤ駆動回路３４を介して液晶表示器１０での表示が可能となる。なお、制御回路３０には前記回路基板２６に配設されたディップスイッチ２０が接続されており、このディップスイッチ２０により設定された所定時間を検出する。なお、図７のフローチャートの制御プログラムはＲＯＭ３２に格納されている。
【００２８】
以上の構成により、施錠されるとタング１ａによりタング検出スイッチ２５がオンとなり、ＣＰＵ３１が図７の割込み処理を開始する。先ず、ステップＳ１でタイマスイッチをＯＮしてタイマ３３で計時を開始し、ステップＳ２で液晶表示器１０に「０」の表示を行う。次に、ステップＳ３でタイマ３３の計時時間が所定の最小更新時間（例えば１分毎）になるまで時間カウントを行い、最小更新時間になるとステップＳ４で液晶表示器１０の表示カウントをアップ（更新）する。次に、ステップＳ５でタイマ３３の計時時間に基づいて施錠からの時間がディップスイッチ２０で設定されている所定時間だけ経過したか否かを判定し、所定時間経過していなければステップＳ３に戻り、所定時間経過していればステップＳ６で液晶表示器１０の表示を点滅状態としてステップＳ３に戻る。なお、解錠操作を行った場合には、制御回路３０の電源が断たれるので、液晶表示器１０の表示も自動的に消灯される。
【００２９】
以上の処理により、施錠後は、液晶表示器１０に施錠時からの経過時間が表示され、この経過時間が所定時間を経過すると表示が点滅状態となる。したがって、管理者等がこの表示を見ることによりロッカーの使用計測時間を判別することができる。さらに、長時間使用している場合には点滅表示によりさらに確認し易くなる。
【００３０】
以上の実施形態では、制御回路３０に対して施錠により電源を供給し、解錠により電源を遮断し、さらに、施錠からの経過時間を表示するようにしている。これに限らず、図８に示したように制御回路３０において前記タイマ３３に変えて時計３３′を用い、さらに乾電池２７ｂの電源を制御回路３０に常時供給して時計３３′（カレンダー時計）で現在の日時を監視して施錠時の日時を表示するようにしてもよい。なお、時計３３′に常時電源を供給していても、電池の消耗は少なくて済む。
【００３１】
図９は日時を表示する場合のＣＰＵ３１が処理する制御プログラムのフローチャートであり、この制御プログラムもＲＯＭ３２に格納されている。先ず、ステップＳ１１で、タング検出スイッチ２５の状態により施錠されたか否かを監視する。タング検出スイッチ２５がオンとなって施錠が検出されると、ステップＳ１２で、時計３３′に基づいて現在の時刻（日時）を液晶表示器１０に表示し、ステップＳ１３でタイマ３３の計時時間に基づいて施錠からの時間がディップスイッチ２０で設定されている所定時間だけ経過したか否かを判定し、所定時間経過していなければステップＳ１５に進み、所定時間経過していればステップＳ１４で液晶表示器１０の表示を点滅状態としてステップＳ１５に進む。ステップＳ１５ではタング検出スイッチ２５の状態により解錠されたか否かを監視し、タング検出スイッチ２５がオフとなって解錠が検出されると、ステップＳ１６で、ＬＥＤ駆動回路３４および液晶表示器１０への電源の供給を断つて、液晶表示器１０の表示を消灯し、ステップＳ１１に戻る。このように、施錠時の時刻（日時）を表示しておくだけでも、管理者等はロッカーの使用継続時間を判断することができる。
【００３２】
以上のように、ロッカーのロック状態の持続時間を判別できる時間情報とは、使用継続時間そのもの、あるいは、施錠時の時刻や日時等であり、このような時間情報の表示により、管理者はロッカーの使用継続時間を判断することができるので、長期間使用によるロッカーの私物化などの不正使用に対しても適宜対処することができ、特にレジャー施設等の貸しロッカーの管理運営に効果的である。
【００３３】
また、把手部２の内部の時間情報表示機構は、簡単な回路と電源（乾電池）で構成されるのでコストも安く、小型で低コストの貸しロッカーに適用してもコストが大幅に増加することもない。
【００３５】
また、使用継続時間の表示形態については、数字等による表示に限らず、経過時間に応じて所定のブロックを順次点灯させて行くような表示、あるいは経過時間に応じた長さのバーグラフで表示するようにしてもよい。また、液晶表示器に限らず、例えば複数のＬＥＤを用いて、経過時間に応じて順次点灯させているなどの表示形態でもよく、その他、経過時間に対応するような表示であればよい。
【００３６】
また、実施形態では、所定時間が経過したときに時間情報の表示を点滅させるようにしているが、これに限らず、例えばＬＥＤランプ等を別途設け、所定時間が経過するとこのＬＥＤランプを点灯あるいは点滅させるようにしてもよい。
【００３７】
上記の実施形態では、レジャー施設の貸しロッカー装置に本発明の錠装置を適用して例について説明したが、その他のロッカー装置あるいは部屋の扉などに適用してもよく、本発明は錠機構のタングの突出状態を検出するので、確実にロック状態であるときに計時や表示が開始されるので、動作が確実になる。
【００３８】
【発明の効果】
以上説明したように、本発明の請求項１の錠装置によれば、錠機構のタングが突出したことが把手部側で検知されるとロック状態の持続時間を判別できる時間情報が表示されるので、ロッカーの使用開始からの時間を判別でき、長期間使用などのロッカーの不正使用を防止することができる。錠機構のタングの突出状態を検出するので、確実にロック状態であるときに計時や表示が開始されるので、動作が確実になる。
【００３９】
また、本発明の請求項２の錠装置によれば、請求項１と同様な効果が得られるとともに、タイマはタングが突出したときから起動されるので、ロック状態以外のときはタイマが駆動されず、ロック状態のときにタイマが駆動されるのでこのタイマを駆動するための電源の節約になる。
【００４０】
また、本発明の請求項３の錠装置によれば、請求項２と同様な効果が得られるとともに、タングの突出によりタイマと表示器が電池に接続されるので、タイマの駆動と表示器の表示を行うための電池の節約になる。
【００４１】
また、本発明の請求項４の錠装置によれば、請求項１、２または３と同様な効果が得られるとともに、持続時間が所定時間を経過したら警告表示が行なわれるので、長時間使用されている（ロック状態である）ロッカー等を容易に判別することができる。
【００４２】
また、本発明の請求項５の錠装置によれば、請求項４と同様な効果が得られるとともに、時間情報の点滅表示で警告表示を行うので、時間情報の表示と警告の表示とを一つの表示器で行うことができ、構成が簡単になる。
【００４３】
また、本発明の請求項６の錠装置によれば、当該錠装置はタングの突出状態を検知してロック状態の持続時間の情報を表示するという簡単な構成とすることができるので、例えば錠機構が機械式であるような非集中駆動型の貸しロッカー本来のコストを抑えながら、請求項１、２、３、４または５と同様な効果が得られる。
【図面の簡単な説明】
【図１】本発明の実施形態におけるケーシングと把手部の正面図である。
【図２】本発明の実施形態におけるケーシングの解錠状態の背面図である。ロッカー装置の利用状況に応じた動作の一例を概念的に示す図である。
【図３】本発明の実施形態におけるケーシングの施錠状態の背面図である。
【図４】本発明の実施形態における把手部の内部を示す背面図である。
【図５】本発明の実施形態の錠装置を用いたロッカー装置の一部正面図である。
【図６】本発明の第１の実施形態のブロック図である。
【図７】本発明の第１の実施形態に関わるフローチャートである。
【図８】本発明の第２の実施形態のブロック図である。
【図９】本発明の第２の実施形態に関わるフローチャートである。
【符号の説明】
１    ケーシング
１ａ  タング
２    把手部
３    扉
４    框部
５    キー
１０  液晶表示器
２５  タング検出スイッチ
３０  制御回路
３１  ＣＰＵ
３２  ＲＯＭ
３３  タイマ
【図１】
0004323625.tif 000002
【図２】
0004323625.tif 000003
【図３】
0004323625.tif 000004
【図４】
0004323625.tif 000005
【図５】
0004323625.tif 000006
【図６】
0004323625.tif 000007
【図７】
0004323625.tif 000008
【図８】
0004323625.tif 000009
【図９】
0004323625.tif 000010